(57)【要約】【課題】交換レンズと昇降ミラーとの干渉を回避しつつ、ユーザーの利便性を損なうことがないカメラシステムを提供する。【解決手段】光学式ファインダーへ撮影光束を導く昇降ミラーを備えるカメラ本体と、該カメラ本体に着脱可能な交換レンズとで構成されるカメラシステムであって、交換レンズは、該交換レンズの固有情報を記憶する記憶手段と、固有情報をカメラ本体へ送信する送信手段とを有し、カメラ本体は、固有情報に基づいて昇降ミラーの位置を制御するカメラ制御手段を有し、該カメラ制御手段は、交換レンズの装着時に昇降ミラーの作動領域に交換レンズの構成要素が進入する構造であると固有情報から判断した場合は（ステップＳ１２）、昇降ミラーの動作を禁止する（ステップＳ１６）。【選択図】図２
2011248103.tif 000002
【特許請求の範囲】
【請求項１】
光学式ファインダーへ撮影光束を導く昇降ミラーを備えるカメラ本体と、該カメラ本体に着脱可能な交換レンズとで構成されるカメラシステムであって、
前記交換レンズは、該交換レンズの固有情報を記憶する記憶手段と、前記固有情報を前記カメラ本体へ送信する送信手段とを有し、
前記カメラ本体は、前記固有情報に基づいて前記昇降ミラーの位置を制御するカメラ制御手段を有し、
前記カメラ制御手段は、前記交換レンズの装着時に前記昇降ミラーの作動領域に前記交換レンズの構成要素が進入する構造であると前記固有情報から判定した場合は、前記昇降ミラーの動作を禁止することを特徴とするカメラシステム。
【請求項２】
前記固有情報に基づいて前記交換レンズの構造を判別するレンズ判別手段を有し、
前記カメラ制御手段は、前記レンズ判別手段の判定結果から前記交換レンズの構造が、該交換レンズの装着時に前記昇降ミラーの作動領域に前記交換レンズの構成要素が進入する構造であると判定した場合には、前記昇降ミラーの動作を禁止することを特徴とする請求項１に記載のカメラシステム。
【請求項３】
前記固有情報は、前記交換レンズの構造が、前記カメラ本体に対して、前記交換レンズの装着時に前記昇降ミラーの作動領域に前記交換レンズの構成要素が進入する構造であるかどうかを示す情報を含むことを特徴とする請求項２に記載のカメラシステム。
【請求項４】
前記固有情報は、前記交換レンズの種類を示す情報であり、
前記レンズ判別手段は、前記固有情報と、前記交換レンズの装着時に前記昇降ミラーの作動領域に前記交換レンズの構成要素が進入する構造であるかどうかについて予め記憶した情報とを比較参照することで、前記交換レンズの構造を判別することを特徴とする請求項２に記載のカメラシステム。
【請求項５】
前記カメラ制御手段は、前記レンズ判別手段により、前記交換レンズの構造が、該交換レンズの装着時に前記昇降ミラーの作動領域に前記交換レンズの構成要素が進入しない構造であると判定した場合には、前記昇降ミラーの位置を撮影光路内の作動待機位置に保持することを特徴とする請求項２〜４のいずれか１項に記載のカメラシステム。
【請求項６】
前記カメラ本体は、前記昇降ミラーの前記作動領域を、撮影時の作動領域よりも小さくしつつ、前記昇降ミラーを前記作動待機位置から撮影光路外の退避位置へ移動させるミラー退避手段を有し、
前記カメラ制御手段は、前記レンズ判別手段により、前記交換レンズの構造が、該交換レンズの装着時に前記昇降ミラーの作動領域に前記交換レンズの構成要素が進入する構造であると判定した場合には、前記ミラー退避手段により前記昇降ミラーを前記退避位置に退避させることを特徴とする請求項２〜５のいずれか１項に記載のカメラシステム。
【請求項７】
前記昇降ミラーは、複数のミラー部材で形成され、
前記ミラー退避手段は、前記複数のミラー部材を折りたたんで前記退避位置に移動させる機構であることを特徴とする請求項６に記載のカメラシステム。
【請求項８】
前記ミラー退避手段は、前記昇降ミラーを、該昇降ミラーの回転軸方向にスライドさせた後、前記退避位置に移動させる機構であることを特徴とする請求項６に記載のカメラシステム。
【請求項９】
前記交換レンズは、該交換レンズを構成する可動レンズのズームポジションを検出する検出手段を有し、
前記カメラ制御手段は、前記固有情報に基づく前記レンズ判別手段による判定結果に加えて、前記検出手段が検出した前記ズームポジションに基づいて、前記昇降ミラーの動作を制御することを特徴とする請求項２〜５のいずれか１項に記載のカメラシステム。
【請求項１０】
前記カメラ制御手段は、前記ズームポジションが前記昇降ミラーの作動領域に前記交換レンズの構成要素が進入する位置であると判定した場合には、前記昇降ミラーの動作を禁止し、一方、前記ズームポジションが前記昇降ミラーの作動領域に前記交換レンズの構成要素が進入しない位置であると判定した場合には、前記昇降ミラーの位置を撮影光路内の作動待機位置に保持することを特徴とする請求項９に記載のカメラシステム。
【請求項１１】
前記カメラ本体は、前記撮影光束を受光し、画像信号を送信する光電変換素子を備えることを特徴とする請求項１〜１０のいずれか１項に記載のカメラシステム。
【請求項１２】
前記カメラ本体は、前記光電変換素子から受信した画像信号に基づいて、被写体像を表示する画像表示手段を備えることを特徴とする請求項１１に記載のカメラシステム。
【請求項１３】
前記カメラ制御手段は、前記レンズ判別手段により、前記交換レンズの構造が、該交換レンズの装着時に前記昇降ミラーの作動領域に前記交換レンズの構成要素が進入する構造であると判定した場合には、前記画像表示手段に警告画像を表示させることを特徴とする請求項１２に記載のカメラシステム。
【請求項１４】
前記カメラ制御手段は、前記ミラー退避手段により前記昇降ミラーを前記退避位置に退避させた後、前記画像表示手段に前記被写体像を表示させることを特徴とする請求項１２に記載のカメラシステム。
【請求項１５】
前記カメラ制御手段は、前記ズームポジションが前記昇降ミラーの作動領域に前記交換レンズの構成要素が進入する位置であると判定した場合には、前記画像表示手段に警告画像を表示させることを特徴とする請求項１２に記載のカメラシステム。
【請求項１６】
光学式ファインダーへ撮影光束を導く昇降ミラーを備えるカメラ本体に対して着脱可能である交換レンズであって、
前記交換レンズの固有情報を記憶する記憶手段を有し、
前記固有情報は、前記交換レンズの構造が、前記カメラ本体の機種に対して、前記交換レンズの装着時に前記昇降ミラーの作動領域に前記交換レンズの構成要素が進入する構造であるかどうかを示す情報を含むことを特徴とする交換レンズ。
【発明の詳細な説明】
【技術分野】
【０００１】
本発明は、カメラシステム、及び交換レンズに関するものである。
【背景技術】
【０００２】
近年、光電変換素子（撮像素子）を採用したデジタル一眼レフカメラの製品化が活発である。この撮像素子の主流のサイズ（撮像面積）としては、従来の銀塩フィルムの２４×３６ｍｍと同等の大きさである３５ｍｍフルサイズと、これよりも小さいＡＰＳ−Ｃサイズとがある。ここで、ＡＰＳ−Ｃサイズの撮像素子を有するデジタル一眼レフカメラに、フルサイズ用の交換レンズを取り付けると、画角が狭くなり、望遠に相当してしまう。そのため、新たな広角レンズとして、マウント形状が同一で、対応サイズがＡＰＳ−Ｃサイズである専用の交換レンズが商品化されている。このＡＰＳ−Ｃサイズ専用の交換レンズは、フルサイズ用の交換レンズに対してバックフォーカスを短く設計することで、光学性能を満足させながら小型化を実現している。
【０００３】
一方、バックフォーカスの短いＡＰＳ−Ｃサイズ専用の交換レンズを、フルサイズの撮像素子を有するデジタル一眼レフカメラに取り付けると、内部の昇降ミラーの作動時に交換レンズの最後端と昇降ミラーとが干渉してしまう。そこで、特許文献１は、通常時には昇降ミラーを撮影光路外に退避させ、交換レンズの最後端と昇降ミラーとが干渉しない交換レンズを取り付けた場合にのみ、昇降ミラーを撮影光路内に進入させるカメラシステムを開示している。
【先行技術文献】
【特許文献】
【０００４】
【特許文献１】特開２００２−１１８７７７号公報
【発明の概要】
【発明が解決しようとする課題】
【０００５】
しかしながら、特許文献１に開示されたカメラシステムでは、電源を入れて交換レンズ側から該交換レンズに関する固有情報を受信しないと、昇降ミラーが撮影光路内に進入しない。したがって、カメラシステムに電源が入っていない状態では、ユーザーは、ファインダーを使用することができず、利便性を損なう。
【０００６】
本発明は、このような状況を鑑みてなされたものであり、交換レンズと昇降ミラーとの干渉を回避しつつ、ユーザーの利便性を損なうことがないカメラシステムを提供する。
【課題を解決するための手段】
【０００７】
上記課題を解決するために、本発明は、光学式ファインダーへ撮影光束を導く昇降ミラーを備えるカメラ本体と、該カメラ本体に着脱可能な交換レンズとで構成されるカメラシステムであって、交換レンズは、該交換レンズの固有情報を記憶する記憶手段と、固有情報をカメラ本体へ送信する送信手段とを有し、カメラ本体は、固有情報に基づいて昇降ミラーの位置を制御するカメラ制御手段を有し、該カメラ制御手段は、交換レンズの装着時に昇降ミラーの作動領域に交換レンズの構成要素が進入する構造であると固有情報から判断した場合は、昇降ミラーの動作を禁止することを特徴とする。
【発明の効果】
【０００８】
本発明によれば、交換レンズと昇降ミラーとの干渉を回避しつつ、ユーザーの利便性を損なうことがないカメラシステムを提供することができる。
【図面の簡単な説明】
【０００９】
【図１】本発明の第１実施形態に係るカメラシステムの構成を示す概略図である。
【図２】カメラマイコンによる撮影待機までの処理を示すフローチャートである。
【図３】カメラマイコンによるレリーズ動作後の処理を示すフローチャートである。
【図４】第２実施形態のカメラマイコンによる処理を示すフローチャートである。
【図５】第３実施形態のカメラマイコンによる処理を示すフローチャートである。
【図６】カメラマイコンによるレリーズ動作後の処理を示すフローチャートである。
【図７】第４実施形態に係るカメラシステムの構成を示す概略図である。
【図８】第４実施形態のカメラマイコンによる処理を示すフローチャートである。
【発明を実施するための形態】
【００１０】
以下、本発明を実施するための形態について図面等を参照して説明する。
【００１１】
（第１実施形態）
まず、本発明の第１実施形態に係るカメラシステムの構成について説明する。図１は、第１実施形態に係るカメラシステムの構成を示す概略図である。カメラシステム１は、交換レンズ２と、この交換レンズ２を着脱可能とするカメラ本体３とを有する。交換レンズ２は、複数のレンズ（光学素子）からなる光学素子群４を内包する鏡筒であり、接続部５を介してカメラ本体３（レンズマウント３ａ）に交換可能に接続される。この交換レンズ２は、駆動系として、絞り駆動用モータ６と、レンズ駆動用モータ７と、エンコーダ８とを備え、また、制御系として、レンズマイコン９を備える。絞り駆動用モータ６及びレンズ駆動用モータ７は、光学素子群４を構成する光学絞りや各駆動レンズを駆動する駆動手段である。エンコーダ８は、この駆動手段の各種駆動量を検知する検知手段である。レンズマイコン９は、交換レンズ２内の構成要素を制御するレンズ制御手段である。本実施形態では、レンズマイコン９は、交換レンズ２特有のイニシャルデータ（固有情報）を記憶する記憶手段であり、かつ、カメラ本体３に対してイニシャルデータを送信する送信手段でもある。
【００１２】
カメラ本体３は、デジタル一眼レフ方式の撮像装置本体であり、被写体像を受光するＣＣＤセンサー１０と、ユーザーが被写体像を視認するためのファインダー１１と、撮影光路に進入することで被写体像をファインダー１１に導く昇降ミラー１２とを備える。ＣＣＤセンサー１０は、光電変換素子（撮像素子）であり、例えばＣＣＤセンサー１０に代えて、ＣＭＯＳセンサー等の光電変換素子を採用することも可能である。ファインダー１１は、フォーカシングスクリーン１３、プリズム１４及び接眼レンズ１５を有する光学式ファインダーである。昇降ミラー１２は、ミラーボックス１６内で、モータ１７の駆動により昇降動作を行う反射板である。以下、図１に示すように昇降ミラー１２が撮影光路内に進入している状態を、撮影の待機状態という意味で「作動待機状態」と表記し、一方、昇降ミラー１２が撮影光路外へ移動し、ファインダー１１の入光部を塞いでいる状態を、「退避状態」と表記する。また、カメラ本体３は、制御系として、カメラマイコン１８と、画像信号処理回路１９と、ミラー駆動回路２０と、レンズ判別回路２１とを備える。カメラマイコン１８は、カメラ本体３内の構成要素を制御するカメラ制御手段であり、特に、本実施形態では、昇降ミラー１２の位置（状態）を制御する位置制御手段でもある。画像信号処理回路１９は、ＣＣＤセンサー１０から画像信号を受信し、画像に変換する画像処理手段である。ミラー駆動回路２０は、カメラマイコン１８からの指示に基づいてモータ１７を駆動させることで、昇降ミラー１２の位置を適宜設定する駆動処理手段である。レンズ判別回路２１は、カメラマイコン１８がレンズマイコン９から受信したイニシャルデータに基づいて交換レンズ２の種類等を判別するレンズ判別手段である。更に、カメラ本体３は、ユーザーが操作を実施するレリーズスイッチ（ＳＷ）２２と、電源部２３と、被写体画像や操作補助アイコン等を表示する液晶モニター（画像表示手段）２４とを備える。
【００１３】
更に、交換レンズ２及びカメラ本体３は、それぞれ、カメラ本体３に交換レンズ２が取り付けられた際に相互に通信を行うための通信接点ユニット２５、２６を備える。レンズマイコン９は、通信接点ユニット２５、２６を介し、カメラ本体３側から制御信号や電力供給を受けて絞り駆動用モータ６やレンズ駆動用モータ７等の制御を実施する。また、カメラマイコン１８は、通信接点ユニット２５、２６を介して、レンズマイコン９からイニシャルデータを取得する。
【００１４】
次に、本実施形態に係るカメラシステム１の動作について説明する。まず、カメラ本体３に交換レンズ２が取り付けられていない状態では、昇降ミラー１２は、作動待機位置にあり、ユーザーは、ファインダー１１により被写体を視認可能である。次に、ユーザーがレンズマウント３ａに交換レンズ２を取り付けると、交換レンズ２側の通信接点ユニット２５と、カメラ本体３側の通信接点ユニット２６とが接続される。そして、カメラマイコン１８は、レンズ判別回路２１を介して、レンズマイコン９から交換レンズ２のイニシャルデータを読み取る。
【００１５】
ここで、図１（ａ）に示すように、交換レンズ２の構成要素である光学素子群４の最後端４ａ（最後端４ａ保持部）が、接続部５よりも大きく外部に突き出し、昇降ミラー１２の作動領域（移動半径内）に進入する構造を有する場合を想定する。このとき、昇降ミラー１２は、作動待機位置にある場合は、最後端４ａと干渉しないが、作動待機位置から退避位置へと向かう作動領域（図中破線部）にある場合は、最後端４ａと干渉する。カメラマイコン１８は、取り付けられた交換レンズ２が上記のような構造を有することを取得したイニシャルデータから判定する。この場合、カメラマイコン１８は、一旦昇降ミラー１２のクイックリターン動作（撮影時の動作、以下、単に「動作」と表記する）を禁止し、ユーザーに対して交換レンズ２を取り外すよう、指示を液晶モニター２４に表示する。
【００１６】
一方、図１（ｂ）に示すように、光学素子群４の最後端４ｂが、接続部５からの突き出しが小さく、バックフォーカスが十分な距離として設定されているため、昇降ミラー１２の作動領域に進入しない構造を有する場合を想定する。このとき、昇降ミラー１２は、作動待機位置にある場合も、作動待機位置から退避位置へと向かう作動領域にある場合も、最後端４ａと干渉しない。カメラマイコン１８は、取り付けられた交換レンズ２が、昇降ミラー１２と最後端４ａとが干渉しない構造を有することを、取得したイニシャルデータから判定する。この場合、カメラマイコン１８は、昇降ミラー１２の動作を許可する。ユーザーは、ファインダー１１を介して被写体を確認可能であり、レリーズスイッチ２２を操作することにより、昇降ミラー１２が動作をして、ＣＣＤセンサー１０が被写体からの撮影光束を受光可能となる。
【００１７】
次に、カメラ本体３に交換レンズ２が取り付けられた後、撮影待機の状態となるまでのカメラマイコン１８による処理について説明する。図２は、カメラマイコン１８の処理の流れを示すフローチャートである。カメラ本体３の初期状態は、上述のように昇降ミラー１２が作動待機位置にあり、この状態でレンズマウント３ａに交換レンズ２が取り付けられる。まず、カメラマイコン１８は、通信接点ユニット２６を介してカメラ本体３に交換レンズ２が取り付けられたか否かを判定し、取り付けられていなければ（ＮＯ）、取り付けられるまで待機する（ステップＳ１０）。ここで、カメラマイコン１８は、交換レンズ２が取り付けられたと判定すると（ＹＥＳ）、次に、レンズマイコン９からイニシャルデータを受信する（ステップＳ１１）。次に、カメラマイコン１８は、レンズ判別回路２１による判定結果を参照し、取り付けられた交換レンズ２が、昇降ミラー１２の作動を可能とする対応レンズであるかどうかを判定する（ステップＳ１２）。このとき、イニシャルデータは、交換レンズ２の構造が、カメラ本体３の機種に対して、交換レンズ２の装着時に昇降ミラー１２の作動領域に交換レンズ２の構成要素が進入する構造であるかどうかを示す情報を含む。ここで、昇降ミラー１２が動作可能な対応レンズであると判定した場合は（ＹＥＳ）、次に、カメラマイコン１８は、昇降ミラー１２に対して通常動作の準備を指示する（ステップＳ１３）。そして、カメラマイコン１８は、再度、カメラ本体３が交換レンズ２を装着中であるかどうかを確認し（ステップＳ１４）、装着中であれば（ＹＥＳ）、レリーズスイッチ２２の操作待機状態（撮影待機状態）へと移行する（ステップＳ１５）。なお、ステップＳ１４にて、カメラマイコン１８が、上記処理中に交換レンズ２が取り外されていると判定した場合は（ＮＯ）、ステップＳ１０に戻り、再び交換レンズ２が取り付けられるまで待機する。
【００１８】
一方、ステップＳ１２にて、カメラマイコン１８は、昇降ミラー１２が動作不可能な未対応レンズであると判定した場合は（ＮＯ）、一旦、昇降ミラー１２の動作を禁止する（ステップＳ１６）。次に、カメラマイコン１８は、液晶モニター２４に警告画像を表示させ、ユーザーに対して交換レンズ２の取り外しを促す（ステップＳ１７）。そして、カメラマイコン１８は、ユーザーにより交換レンズ２が取り外されたか否かを判定し（ステップＳ１８）、取り外されたと判定した場合は（ＹＥＳ）、ステップＳ１０に戻り、新たな種類の交換レンズ２が取り付けられるまで待機する。なお、ステップ１８にて、カメラマイコン１８は、取り外されていないと判定した場合は（ＮＯ）、ステップＳ１７に戻る。
【００１９】
次に、取り付けられた交換レンズ２が昇降ミラー１２の動作を可能とする対応レンズである場合の、カメラマイコン１８の撮影後（レリーズ動作後）の処理について説明する。図３は、この場合のカメラマイコン１８の処理の流れを示すフローチャートである。カメラマイコン１８は、レリーズ動作後、まず、カメラ本体３が交換レンズ２を装着中であるかどうかを判定する（ステップＳ２１）。ここで、カメラマイコン１８は、交換レンズ２を装着中であると判定した場合（ＹＥＳ）、昇降ミラー１２を、ミラー駆動回路２０を介して作動待機位置に移動させ（ステップＳ２２）、クイックリターン動作の準備を行う（ステップＳ２３）。次に、カメラマイコン１８は、再度、カメラ本体３が交換レンズ２を装着中であるかどうかを確認し（ステップＳ２４）、装着中であれば（ＹＥＳ）、レリーズスイッチ２２の操作待機状態（撮影待機状態）へと移行する（ステップＳ２５）。なお、カメラマイコン１８が、ステップＳ２１にて、交換レンズ２が取り外されたと判定した場合や（ＮＯ）、ステップＳ２４にて、上記処理中に交換レンズ２が取り外されたと判定した場合は（ＮＯ）、ステップＳ２６に移行する。ステップＳ２６にて、カメラマイコン１８は、昇降ミラー１２を退避位置に設定し、昇降ミラー１２は、退避状態となる。そして、カメラマイコン１８は、新たな交換レンズ２の取り付けまで待機する（ステップＳ２７）
【００２０】
以上のように、本発明によれば、カメラマイコン１８は、レンズマイコン９から得られたイニシャルデータに基づいて取り付けられた交換レンズ２の構造を判別し、その構造により、カメラ本体３、特に、昇降ミラー１２の制御を変更する。したがって、例えば、バックフォーカスが短くなる交換レンズ２をカメラ本体３に取り付けてしまった場合でも、カメラマイコン１８が、予め昇降ミラー１２のクイックミラー動作を禁止するので、交換レンズ２と昇降ミラー１２との干渉を防止できる。更に、この場合、昇降ミラー１２は、通常時には撮影光路内の作動待機位置にあるため、カメラ本体３の電源がＯＦＦの状態でも、ファインダー１１が使用可能となり、ユーザーの利便性を損なわない。
【００２１】
なお、イニシャルデータは、交換レンズ２の構造が、カメラ本体３の機種に対して、交換レンズ２の装着時に昇降ミラー１２の作動領域に交換レンズ２の構成要素が進入する構造であるかどうかを示す情報を含むとしたが、本発明は、これに限らない。例えば、イニシャルデータが、単に交換レンズ２の種類を示す情報であっても良い。この場合、レンズ判別回路２１に、交換レンズの種類毎の、交換レンズの装着時に昇降ミラー１２の作動領域に交換レンズの構成要素が進入する構造であるかどうかを示す情報を予め記憶させ、イニシャルデータと、記憶している情報とを比較参照させれば良い。更に、イニシャルデータが、単に交換レンズ２の識別番号等の標識のみを示す情報であっても良い。この場合、例えば、カメラマイコン１８は、レンズ判別回路２１を介して交換レンズ２の構造を判別しなくとも、標識を参照することのみで自動的に昇降ミラーの動作を禁止させても良い。これにより、交換レンズ２が既に販売済みの製品であっても、カメラ本体３側の情報を常に最新のものに書き換えることで、本発明が対応可能となる。
【００２２】
（第２実施形態）
次に、本発明の第２実施形態に係るカメラシステムについて説明する。図４は、第１実施形態において、カメラ本体３に交換レンズ２が取り付けられた後、撮影待機の状態となるまでのカメラマイコン１８による処理の流れを示す図２のフローチャートに対応した、第２実施形態に係る処理の流れを示すフローチャートである。以下、図４に示す本実施形態の処理は、図２に示すステップＳ１２以降の変更例となるため、ここでは、該ステップＳ１２に対応したステップＳ３２より説明する。なお、本実施形態に係るカメラシステムの構成は、第１実施形態と同様であるため、説明を省略する。
【００２３】
まず、カメラマイコン１８は、図２のステップＳ１２と同様に、取り付けられた交換レンズ２が、昇降ミラー１２の動作を可能とする対応レンズであるかどうかを判定する（ステップＳ３２）。ここで、カメラマイコン１８は、昇降ミラー１２が動作不可能な未対応レンズであると判定した場合は（ＮＯ）、ミラー駆動回路２０に対して、不図示のミラー退避手段の作動を指示する（ステップＳ３６）。ミラー退避手段は、カメラ本体３に交換レンズ２を装着させたまま、光学素子群４の最後端４ａに干渉することなく、昇降ミラー１２を退避状態の位置（退避位置）に作動させる手段である。このミラー退避手段としては、例えば、昇降ミラー１２を複数のミラー部材で形成することにより昇降ミラー１２を折りたたんで退避位置に移動させる機構がある。更なるミラー退避手段としては、昇降ミラー１２をＣＣＤセンサー１０側、即ち、昇降ミラー１２の回転軸方向へスライドさせた後に退避位置に移動させる機構がある。ここで、カメラマイコン１８は、昇降ミラー１２を退避状態でそのまま保持する（ステップＳ３７）。この状態でユーザーが被写体を捕捉すると、カメラマイコン１８は、ＣＣＤセンサー１０より画像信号処理回路１９を介して画像信号を受信し、液晶モニター２４に被写体像を表示させることができる（ステップＳ３８）。これにより、ユーザーは、液晶モニター２４にて被写体像の構図を確認することができる（ライブビューモード）。次に、カメラマイコン１８は、図２のステップＳ１４と同様に、再度、交換レンズ２がカメラ本体３に取り付けられた状態であるかを確認する（ステップＳ３４）。
【００２４】
このように、本実施形態によれば、カメラマイコン１８は、レンズマイコン９から得られたイニシャルデータに基づいて、取り付けられた交換レンズ２の構造を判別し、その構造により、上記のようなミラー退避手段を作動させる。このミラー退避手段により、カメラ本体３に取り付けた交換レンズ２が、昇降ミラー１２が動作不可能な未対応レンズである場合でも、その状態のまま、昇降ミラー１２を退避位置に作動させることができる。これにより、カメラマイコン１８は、ミラー退避手段が作動した後に、自動的にライブビューモードへ移行させることができるので、ユーザーの利便性が向上する。
【００２５】
（第３実施形態）
次に、本発明の第３実施形態に係るカメラシステムについて説明する。図５は、第１実施形態において、カメラ本体３に交換レンズ２が取り付けられた後、撮影待機の状態となるまでのカメラマイコン１８による処理の流れを示す図２のフローチャートに対応した、第３実施形態に係る処理の流れを示すフローチャートである。以下、図５に示す本実施形態の処理は、図２に示すステップＳ１８以降の変更例となるため、ここでは、該ステップＳ１８に対応したステップＳ４８より説明する。なお、カメラシステムの構成は、本実施形態においても第１実施形態と同様であるため、説明を省略する。
【００２６】
まず、カメラマイコン１８は、図２のステップＳ１８と同様に、ユーザーにより交換レンズ２が取り外されたか否かを判定する（ステップＳ４８）。ここで、交換レンズ２が取り外されていると判定した場合（ＮＯ）、カメラマイコン１８は、昇降ミラー１２を退避位置に作動させ（ステップＳ４９）、退避状態でそのまま保持する（ステップＳ５０）。次に、カメラマイコン１８は、液晶モニター２４に交換レンズ２が取り付け可能であるとの情報を表示させる（ステップＳ５１）。次に、カメラマイコン１８は、交換レンズ２がカメラ本体３に取り付けられたかどうかを判定する（ステップＳ５２）。ここで、交換レンズ２がカメラ本体３に取り付けられたと判定した場合（ＹＥＳ）、カメラマイコン１８は、図４のステップＳ３８と同様に、液晶モニター２４に被写体像を表示させることができるライブビューモードに移行する（ステップＳ５３）。そして、カメラマイコン１８は、図２のステップＳ１４と同様に、再度、カメラ本体３が交換レンズ２を装着中であるかどうかを確認する（ステップＳ４４）。なお、ステップＳ５２にて交換レンズ２がカメラ本体３に取り付けられていないと判定した場合は（ＮＯ）、再度、ステップＳ５０に移行する。
【００２７】
次に、取り付けられた交換レンズ２が、昇降ミラー１２が動作不可能な未対応レンズである場合の、カメラマイコン１８の撮影後（レリーズ動作後）の処理について説明する。図６は、この場合のカメラマイコン１８の処理の流れを示すフローチャートである。カメラマイコン１８は、レリーズ動作後、まず、カメラ本体３が交換レンズ２を装着中であるかどうかを判定する（ステップＳ６１）。ここで、カメラマイコン１８は、交換レンズ２を装着中であると判定した場合は（ＹＥＳ）、昇降ミラー１２を退避状態にてそのまま保持する（ステップＳ６２）。次に、カメラマイコン１８は、ステップＳ５３と同様に、ライブビューモードに移行し、液晶モニター２４に被写体像を表示させる（ステップＳ６３）。そして、カメラマイコン１８は、再度、カメラ本体３が交換レンズ２を装着中であるかどうかを確認し（ステップＳ６４）、装着中であれば（ＹＥＳ）、レリーズスイッチ２２の操作待機状態（撮影待機状態）へと移行する（ステップＳ６５）。なお、カメラマイコン１８が、ステップＳ６１にて、交換レンズ２が取り外されていると判定した場合や（ＮＯ）、ステップＳ６４にて、上記処理中に交換レンズ２が取り外されていると判定した場合には（ＮＯ）、ステップＳ６６に移行する。そして、カメラマイコン１８は、昇降ミラー１２を作動待機位置に設定し（ステップＳ６６）、昇降ミラー１２は、作動待機状態となる（ステップＳ６７）。
【００２８】
このように、本実施形態によれば、カメラマイコン１８は、予め取得したイニシャルデータに基づいて昇降ミラー１２を常に退避状態に保持させることで、昇降ミラー１２が動作不可能な交換レンズ２を使用可能とする。これにより、上記実施形態と同様、交換レンズ２と昇降ミラー１２との干渉を防止することができる。更に、あらゆる交換レンズの使用に際してもバックフォーカスの制約を受けることがないため、最適な交換レンズを選択することができ、延いては、カメラシステム全体の光学性能の向上を図ることができる。
【００２９】
（第４実施形態）
次に、本発明の第４実施形態に係るカメラシステムについて説明する。本実施形態における交換レンズ２は、光軸方向に対して光学素子群４の最後端４ｃが移動するズームレンズである。図７は、この場合のカメラシステム１の構成を示す概略図である。特に、図７（ａ）は、光学素子群４の最後端４ｃがＣＣＤセンサー１０側へ延長したＷＩＤＥ状態を示し、一方、図７（ｂ）は、光学素子群４の最後端４ｃが交換レンズ２の鏡筒内側に収縮したＴＥＬＥ状態を示す。この場合、光学素子群４を構成する駆動レンズは、第１実施形態で示したように、レンズ駆動用モータ７にて駆動され、エンコーダ８にてズームポジションが検出される。なお、その他のカメラシステムの構成は、第１実施形態と同様であるため、説明を省略する。
【００３０】
まず、カメラマイコン１８は、交換レンズ２がカメラ本体３に取り付けられた際、取得したイニシャルデータから交換レンズ２の構造について判定する。このとき、まず、カメラマイコン１８は、取り付けられた交換レンズ２がＷＩＤＥ状態となるとき、昇降ミラー１２の作動領域に進入する構造（第１の条件）であるか確認する。同様に、カメラマイコン１８は、取り付けられた交換レンズ２がＴＥＬＥ状態となるとき、昇降ミラー１２の作動領域に進入しない構造（第２の条件）であるか確認する。まず、第１の条件を満たす場合、光学素子群４の最後端４ｃは、昇降ミラー１２が作動待機状態であるときには、昇降ミラー１２に干渉せず、一方、昇降ミラー１２が作動領域で作動すると、昇降ミラー１２に干渉する。そこで、この場合は、カメラマイコン１８は、一旦、昇降ミラー１２の動作を禁止し、液晶モニター２４に警告画像を表示させ、ユーザーに対して交換レンズ２の取り外しや、ズームポジションの変更を促す。次に、第１の条件に加えて、第２の条件も満たす場合、ユーザーがズームポジションを変更することで、交換レンズ２の状態をＴＥＬＥ状態とすれば、昇降ミラー１２が作動領域で作動しても、光学素子群４の最後端４ｃと干渉することはない。そこで、この場合は、カメラマイコン１８は、昇降ミラー１２の動作を許可する。したがって、ユーザーは、ファインダー１１による被写体の視認が可能となり、通常の撮影が可能となる。
【００３１】
次に、カメラ本体３に交換レンズ２が取り付けられた後、撮影待機の状態となるまでのカメラマイコン１８による処理について説明する。図８は、カメラマイコン１８の処理の流れを示すフローチャートである。カメラ本体３の初期状態は、昇降ミラー１２が作動待機位置にあり、この状態でレンズマウント３ａに交換レンズ２が取り付けられる。まず、カメラマイコン１８は、通信接点ユニット２６を介してカメラ本体３に交換レンズ２が取り付けられたか否かを判定し、取り付けられていなければ（ＮＯ）、取り付けられるまで待機する（ステップＳ７０）。ここで、カメラマイコン１８は、交換レンズ２が取り付けられたと判定すると（ＹＥＳ）、次に、レンズマイコン９からイニシャルデータを受信する（ステップＳ７１）。このとき、カメラマイコン１８は、レンズ判別回路２１により、取得したイニシャルデータに基づいて、取り付けられた交換レンズ２が上記の条件を満たすような構造を有しているか確認する。次に、カメラマイコン１８は、レンズマイコン９から、エンコーダ８が検出した光学素子群４内の可動レンズのズームポジションを受信する（ステップＳ７２）。次に、次に、カメラマイコン１８は、光学素子群４内の可動レンズのズームポジションが、昇降ミラー１２の動作を可能とする位置にあるかどうかを判定する（ステップＳ７３）。ここで、可動レンズのズームポジションが、昇降ミラー１２の動作を可能とする位置にあると判定した場合（ＹＥＳ）、次に、カメラマイコン１８は、昇降ミラー１２に対して通常動作の準備を指示する（ステップＳ７４）。そして、カメラマイコン１８は、カメラ本体３が交換レンズ２を装着中であるかどうかを再度確認し（ステップＳ７５）、装着中であれば（ＹＥＳ）、レリーズスイッチ２２の操作待機状態へと移行する（ステップＳ７６）。ステップＳ７５にて、カメラマイコン１８が、上記処理中に交換レンズ２が取り外されていると判定した場合は（ＮＯ）、ステップＳ７０に戻り、再び交換レンズ２が取り付けられるまで待機する。
【００３２】
一方、ステップＳ７３にて、カメラマイコン１８は、上記可動レンズのズームポジションが、昇降ミラー１２の動作を不可能とする位置にあると判定した場合（ＮＯ）、一旦、昇降ミラー１２の動作を禁止する（ステップＳ７７）。次に、カメラマイコン１８は、液晶モニター２４に警告画像を表示させ、ユーザーに対して可動レンズのズームポジションの変更を促し、ステップＳ７２に戻る（ステップＳ７８）。
【００３３】
このように、本実施形態によれば、ズームポジションによりバックフォーカスが変化する交換レンズを使用する場合には、交換レンズ２と昇降ミラー１２とが干渉しないようにズームポジションを変化させることで、本カメラシステムが使用可能となる。なお、本実施形態では、上記ＷＩＤＥ状態をバックフォーカスの短い状態としたが、例えば、エンコーダ８による分割を多分割化し、カメラマイコン１８は、分割ゾーン毎に昇降ミラー１２の動作が可能かどうか判定しても良い。
【００３４】
以上、本発明の好ましい実施形態について説明したが、本発明は、これらの実施形態に限定されず、その要旨の範囲内で種々の変形及び変更が可能である。
【００３５】
例えば、上記実施形態では、カメラ本体３が、画像表示手段である液晶モニター２４を予め備えているものとして説明したが、本発明は、これに限定されない。例えば、カメラ本体３は、予め液晶モニター２４を備えていない場合でも、外付けで対応するビューファインダーを別途設置する構成としても良い。
【符号の説明】
【００３６】
１    カメラシステム
２    交換レンズ
３    カメラ本体
４    光学素子群
９    レンズマイコン
１１  ファインダー
１２  昇降ミラー
１８  カメラマイコン
２１  レンズ判別回路
【図１】
2011248103.tif 000003
【図２】
2011248103.tif 000004
【図３】
2011248103.tif 000005
【図４】
2011248103.tif 000006
【図５】
2011248103.tif 000007
【図６】
2011248103.tif 000008
【図７】
2011248103.tif 000009
【図８】
2011248103.tif 000010